(57)【特許請求の範囲】
【請求項１】
じん性を備えた短繊維強化モルタルからなる裏面側層と、前記裏面側層より高強度を有する超高強度繊維強化モルタルからなる表面層と、前記裏面側層と前記表面層との間に配設される中間骨材と、前記裏面側層の上面に配設される裏面側骨材と、を備えることを特徴とする積層ボード。
【請求項２】
前記表面層に目地を設けたことを特徴とする請求項１記載の積層ボード。
【請求項３】
裏面に凹凸を有することを特徴とする請求項１又は２記載の積層ボード。
【発明の詳細な説明】
【技術分野】
【０００１】
本発明は、積層ボードに関する。
【背景技術】
【０００２】
セメント系混合物であるコンクリートやモルタルは耐久性に優れ、各種の構造物に用いられ、トンネル，水路や地下貯水槽などにおいても、コンクリート構造物が用いられている。そして、そのコンクリート表面にボードなどを設けることが知られており、そのボードには各種材質のものが用いられる。
【０００３】
例えば、短繊維を混入することにより引張強度や伸び能力を向上し、曲げじん性に優れた短繊維補強モルタル（例えば、特許文献１）をコンクリート構造物の表面に設けることが考えられる。
【０００４】
ところで、コンクリートはひび割れが発生すると急激にその耐力を失う脆性的な材料であることが従来から知られており、このため、通常、コンクリート部材の内部には、ひび割れ後の急激な耐力の低下を緩和するために補強鉄筋が設けられている。このため、従来のコンクリート構造体は重量が増し、部材の厚さも嵩むため軽量化が難しいと云う問題があり、これに対して、セメント粒子、シリカ等の微粒子、スラグやフライアッシュなどの無機粒子の比表面積および配合量を各々特定範囲に調整し、これに有機繊維ないし炭素繊維を配合させた超高強度繊維補強モルタルが最近提案されている（特許文献２及び特許文献３）。このモルタルによって製造したものは高強度で靱性が高く、また流動性にも優れる利点を有し、公知ではないが、これをコンクリートの表面に設けるボードに用いることが考えられる。
【特許文献１】特開平１０−２８６８２１号公報
【特許文献２】特開２００２−３４８１６６号公報
【特許文献３】特開２００５−２３６１３号公報
【発明の開示】
【発明が解決しようとする課題】
【０００５】
上記短繊維補強モルタルなどのじん性モルタルを、ボードとして使用した場合、その曲げじん性により曲面への対応が可能となるが、反面、そのボードは柔らかく強度に劣る面があり、また、平滑面が得られにくいから、水路などに用いると、抵抗が大きくなる欠点がある。
【０００６】
一方、上記超高強度繊維補強セメントでは、平滑性と強度を得ることができるが、曲面への対応が難しく、曲面に対応するには、その都度、曲面に合わせた曲面型枠を作成しなければならず、コスト上昇を招く問題がある。
【０００７】
そこで、本発明は、表面の強度と平滑面を確保し、かつじん性を備えた積層ボードを提供することを目的とする。
【課題を解決するための手段】
【０００８】
請求項１の発明は、じん性を備えた短繊維強化モルタルからなる裏面側層と、前記裏面側層より高強度を有する超高強度繊維強化モルタルからなる表面層と、前記裏面側層と前記表面層との間に配設される中間骨材と、前記裏面側層の上面に配設される裏面側骨材と、を備えるものである。
【０００９】
また、請求項２の発明は、前記表面層に目地を設けたものである。
【００１１】
また、請求項３の発明は、裏面に凹凸を有するものである。
【発明の効果】
【００１２】
請求項１の構成によれば、積層ボードには、じん性を備えた裏面側層によりじん性が得られ、硬質な表面層により強度及び所定の機能が得られる。
【００１３】
また、請求項１の構成によれば、積層ボードには、じん性を備えた短繊維強化モルタル層によりじん性が得られ、硬質な表面層により強度及び所定の機能が得られる。
【００１４】
また、請求項２の構成によれば、目地により硬質な表面層を屈曲することができる。
【００１５】
また、請求項１の構成によれば、強度と平滑性を得ることができる。
【００１７】
また、本発明の構成によれば、連結材により表面層と裏面側層との密着性を向上することができる。
【００１８】
また、請求項３の構成によれば、コンクリート構造物の表面と積層ボードとの密着性を向上することができる。
【発明を実施するための最良の形態】
【００１９】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規な積層ボードを採用することにより、従来にない積層ボードが得られ、その積層ボードについて記述する。
【実施例１】
【００２０】
以下、本発明の実施例を添付図面を参照して説明する。図１〜図４は本発明の実施例１を示し、同図は、積層ボード１は、裏面に設けるじん性を備えた裏面側層たる短繊維強化モルタル層２と、表面に設けられ前記裏面側層より硬質な表面層である超高強度繊維強化モルタル層３とを積層一体化してなる。
【００２１】
前記短繊維強化モルタル層２は、一例として、短繊維を混合してモルタルを練り混ぜ、同繊維を３次元ランダム配置させた短繊維補強モルタルからなり、短繊維は、鋼繊維，ガラス繊維，炭素繊維、あるいはポリエチレン、ポリプロプレン，アラミド繊維などの各種の繊維を用いることができ、短繊維の直径は数μｍ〜数十μｍ 、その長さは数 ｍｍ〜数十ｍｍ程度である。尚、本実施例では、上記モルタルがセメントを含むように、セメント系混合物とはセメントを含む各種の混合物を表す。
【００２２】
また、この例では、前記表面層として、超高強度繊維強化モルタル層３を用いている。この超高強度繊維強化モルタルとしては、上記従来例で示したように、裏面側層より強度が高いものが用いられ、例えば、有機繊維及び炭素繊維等を含有する水硬性組成物であって、その硬化体の圧縮強度が１５０（Ｎ／ｍｍ2）以上、割裂引張強度が５（Ｎ／ｍｍ2）以上、曲げ強度が１５（Ｎ／ｍｍ2）以上とすることが望ましい。
【００２３】
また、前記超高強度繊維強化モルタル層３には、積層ボード１を曲面に対応して湾曲できるようにするために所定間隔で複数の目地４が設けられている。この例では、積層ボード１の幅方向に間隔を置いて複数の目地４が配置されているから、積層ボード１を幅方向に湾曲させることができる。すなわち、図２（Ｂ）に示すように、表面側を凸に湾曲させると目地４の間隔が広がり、表面側を凹に湾曲させると目地４の間隔が狭まる。
【００２４】
次に、積層ボード１の製造方法の一例について説明する。図４（Ａ）に示すように、型枠11の底板12に、板材などからなる目地形成部材13を配置し、超高強度繊維強化モルタルＡを層状に打設する。図４（Ｂ）に示すように、超高強度繊維強化モルタルＡが硬化する前のその上面に複数の中間骨材５をセットする。この中間骨材５は連結材であって、超高強度繊維強化モルタルＡに一部が埋まり、一部が突出するように配置する。次に、その上から、図４（Ｃ）に示すように、短繊維強化モルタルＢを層状に打設し、短繊維強化モルタルＢの上面を均し、その上面に複数の裏面側骨材６をセットする。この裏面側骨材６は、超高強度繊維強化モルタルＡに一部が埋まり、一部が裏面から露出するように配置する。そして、それらが硬化したら、脱型し、目地形成材13を取り外すことにより、表面層に前記目地４が形成される。尚、この目地４の一部は裏面側層である短繊維強化モルタル層２に達している。また、前記骨材５，６としては、直径が約１０〜１５ｍｍ程度の砕石などが用いられる。そして、中間骨材５は、超高強度繊維強化モルタル層３と短繊維強化モルタル層２とにそれぞれ埋まる。
【００２５】
そして、図３に示すように、積層ボード１を型枠として、背面側にコンクリートを打設し、コンクリート構造物21の表面に積層ボード１を一体に設けることができる。そして、この例では、水路などの壁面を構成するコンクリート構造物21の表面に積層ボード１を一体に設ければ、水の抵抗を少なくすることができる。
【００２６】
このように本実施例では、請求項１に対応して、セメント系混合物からなるじん性を備えた裏面側層たる短繊維強化モルタル層２と、表面に設けられ短繊維強化モルタル層２より高強度を有する超高強度繊維強化モルタル層３とを備えるから、この積層ボード１には、じん性を備えた裏面側層によりじん性が得られ、硬質な表面層により強度及び所定の機能が得られ、じん性と表面の強度とを兼ね備えた積層ボード１が得られる。
【００２７】
このように本実施例では、請求項１に対応して、裏面側層がじん性を備えた短繊維強化モルタル層２であるから、この積層ボード１には、じん性を備えた短繊維強化モルタル層２によりじん性が得られ、硬質な表面層たる超高強度繊維強化モルタル層３により強度及び所定の機能が得られる。
【００２８】
このように本実施例では、請求項２に対応して、表面層たる超高強度繊維強化モルタル層３に目地４を設けたから、目地４により硬質な表面層を屈曲することができる。
【００２９】
このように本実施例では、請求項１に対応して、表面層が高強度繊維強化モルタルであるから、強度と平滑性を得ることができる。したがって、ボード１の表面が平滑になるため、水路などの壁面に用いた場合、水の抵抗を少なくすることができる。
【００３０】
このように本実施例では、請求項１に対応して、表面層たる超高強度繊維強化モルタル層３と裏面側層たる短繊維強化モルタル層２との間に連結材たる中間骨材５を有するから、超高強度繊維強化モルタル層３と短繊維強化モルタル層２との密着性を向上することができる。
【００３１】
このように本実施例では、請求項４に対応して、裏面側骨材６により、裏面に凹凸を有するから、水路の壁などのコンクリート構造物21の表面と積層ボード１との密着性を向上することができる。
【００３２】
また、実施例上の効果として、表面層と裏面側層との間にそれぞれ埋まるように連結部材とある中間骨材５を配置したから、両者を確実に一体化することができる。
【実施例２】
【００３３】
図５は本発明の実施例２を示し、上記各実施例と同一部分に同一符号を付し、その詳細な説明を省略して詳述すると、この例では、目地４を積層ボード１の長さ方向に間隔を置いて複数設けており、積層ボード１を長さ方向に屈曲することができ、上記実施例１と同様な作用・効果を奏する。
【実施例３】
【００３４】
図６は本発明の実施例３を示し、上記各実施例と同一部分に同一符号を付し、その詳細な説明を省略して詳述すると、この例では、表面層が複数のタイル８からなり、矩形のタイル８の間に前記目地４が設けられている。この場合、タイル８間を離すことにより、目地４が長さ方向と幅方向にそれぞれ設けられている。
【００３５】
このように本実施例では、上記各実施例と同様な作用・効果を奏する。
【００３６】
また、このように本実施例では、請求項５に対応して、前記表面層が複数のタイル８からなり、これらタイル８間に目地４を設けたから、目地４によりタイル８からなる表面層を屈曲することができる。また、目地４が長さ方向と幅方向にそれぞれ設けられているから、積層ボード１を長さ方向と幅方向に曲げることができる。
【００３７】
また、タイル８と裏面側層と密着性を向上するには、表面層を構成するタイル８の裏面に凹凸を設ければよい。
【００３８】
尚、本発明は、前記実施例に限定されるものではなく、種々の変形実施が可能である。例えば、短繊維補強モルタルとは、短繊維を入れることにより通常のモルタルよりも曲げじん性が向上したものを言う。また、表面層は、タイル以外でも、鉄板などでもよい。また、電荷移動型触媒を備えた積層ボードを駐車場などに用いてもよい。さらに、表面層と裏面側層との間に他の層が介在してもよく、また、裏面側層の裏面に他の層が介在してもよく、これらの場合も目地により、積層ボードが屈曲可能であることが好ましい。
【図面の簡単な説明】
【００３９】
【図１】本発明の実施例１を示す正面図である。
【図２】同上、側面図であり、図２（Ａ）は屈曲前、図２（Ｂ）は屈曲後を示す。
【図３】同上、断面図である。
【図４】同上、製造工程の断面図を示す。
【図５】本発明の実施例２を示す正面図である。
【図６】本発明の実施例３を示す正面図である。
【符号の説明】
【００４０】
１  積層ボード
２  短繊維強化モルタル層（裏面側層）
３  超高強度繊維強化モルタル層（表面層）
４  目地
５  中間骨材
６  裏面側骨材
８  タイル（表面層）
Ａ  超高強度繊維強化モルタル
Ｂ  短繊維強化モルタル
21  コンクリート構造物
【図１】
0005332177.tif 000002
【図２】
0005332177.tif 000003
【図３】
0005332177.tif 000004
【図４】
0005332177.tif 000005
【図５】
0005332177.tif 000006
【図６】
0005332177.tif 000007